(57)【要約】本発明の容器は、口部の下部でありながら、本体の上部面に折り畳み基準線を中心にしてその前方面に折り畳み自在部を形成し、前記折り畳み自在部が容易に折り畳めるように折り畳み線を形成することをその特徴とする。また、口部の下方に折り畳み自在部を形成するに際し、一次的にインジェクション方式でプリフォーム（一次製品）を成型したのち、二次的にブロー成型法で折り畳み自在部を備えた容器を製作する。前記プリフォームを成型するとき、折り畳み自在部になる部位を本体より薄くして二次ブロー成型時にその薄い部位の折り畳みが容易になされるようにする。
2004520236.tif 000002
【特許請求の範囲】
【請求項１】
蓋が組み付けられる口部、
前記口部の下方に形成され、当該口部を折り畳み得るように構成された、突出した折り畳み自在部を含むことを特徴とする、折り畳み自在部が形成された容器およびその製法。
【請求項２】
前記突出した折り畳み自在部が、折り畳み基準線を中心にして口部を囲むように前方部に形成された請求項１記載の折り畳み自在部が形成された容器およびその製法。
【請求項３】
前記折り畳み自在部が容易に折り畳めるように折り畳み線を形成する請求項２記載の折り畳み自在部が形成された容器およびその製法。
【請求項４】
前記折り畳み線が、折り畳み基準線を基準にして比較的平らな折り畳み自在部上面が前方部に形成され、前記折り畳み自在部上面は折り畳み自在部基準線を中心にして両側に折り畳み線が形成され、その折り畳み線の端部は折り畳み基準線と平行な形態の折り畳み線に連結されている請求項３記載の折り畳み自在部が形成された容器およびその製法。
【請求項５】
前記折り畳み基準線の前方部に形成された折り畳み線の長さが、折り畳み基準線の長さよりさらに短く構成された請求項４記載の折り畳み自在部が形成された容器およびその製法。
【請求項６】
前記折り畳み自在部上面の両側に形成された折り畳み線に連結される折り畳み線の各端点には、下側に向くほど開いた形態の折り畳み線が形成され、その各端点は折り畳み基準線の両端部の折り畳み線に連結されている請求項４記載の折り畳み自在部が形成された容器およびその製法。
【請求項７】
前記折り畳み自在部が、両側が三角形の形状であり、その三角形と内接して二つの梯形の面が上方で会う突出した形状である請求項２記載の折り畳み自在部が形成された容器およびその製法。
【請求項８】
射出成型される一次製品は、環状輪を中心にして上方に蓋が組み付けられる多様な形態の口部が形成され、下方にはふくらんで胴になる本体が形成されており、前記口部の環状輪の下方にはブロー成形時にふくらんで折り畳み自在部を形成する折り畳み用の薄い部位を形成することを特徴とする、折り畳み自在部が形成された容器およびその製法。
【請求項９】
前記一次製品をブロー金型に移動したのち、金型の空気吹入口を開いて一次製品の内部に空気を吹き入れると、本体は容器金型の形態にふくらみ、これと同時に折り畳み用の薄い部位はじゃばら形態の折り畳み自在部が形成される請求項８記載の折り畳み自在部が形成された容器およびその製法。
【請求項１０】
前記折り畳み自在部が、重ねるように折ることができる請求項９記載の折り畳み自在部が形成された容器およびその製法。
【請求項１１】
前記一次製品の折り畳み用の薄い部位が、本体よりさらに薄く成型される請求項８記載の折り畳み自在部が形成された容器およびその製法。
【発明の詳細な説明】
【０００１】
［技術分野］
本発明は、蓋を被せる構造の首（口部）の下部に、折り畳み基準線を中心にして上部に突出した折り畳み自在部を折り畳み線を付加して形成したり、また折り畳み自在部をじゃばら形態にしてその部位が任意の角度に下げられるようにした容器に関する。
【０００２】
前記折り畳み自在部が形成された容器は使用時に口部が一定の角度に傾くので、その容器を少し傾けても容器内の内容物を安定して排出することができる特徴を有する。
【０００３】
また、前記折り畳み自在部がある容器は、その口部にストローを内蔵した蓋を被せた場合、口部を所望の角度に下げてその容器内の内容物を飲用することができる。
【０００４】
［背景技術］
従来の容器の口部（首）は折り畳むことができないので、これを解決するために蓋の排出部を一定の角度だけ下げられるようにして使用されていた。
【０００５】
また、米国特許第４，４９２，３２４号明細書の場合、容器の口部にじゃばら形態の折り畳み自在部を形成したが、これは容器の口部の下方部にじゃばら形態の折り畳み自在部を形成するためには、材料の厚さまた成型条件などがややこしいので汎用化されなかった。そして、じゃばら形態の折り畳み自在部は容器の内部に内圧が掛かる場合、その折り畳み自在部が広げられるという短所も有している。
【０００６】
［発明の開示］
前記従来技術の問題を解決するものとして、本発明は、使用時に容器の口部が一定の角度に自然に下げられ、容器の内部に内圧が発生しても、その容器は円形を持続的に維持することができる容器を提供することを目的としている。
【０００７】
また、本発明の他の目的は、折り畳み自在部がある容器をインジェクションブロー成型法で制作することができる容器を抵抗することである。
【０００８】
前記目的を達成するために、本発明の容器は、口部の下部でありながら、本体の上部面に折り畳み基準線を中心にしてその前方面に折り畳み自在部を形成し、
前記折り畳み自在部が容易に折り畳めるように折り畳み線を形成することを特徴とする。
【０００９】
また、口部の下方に折り畳み自在部を形成するに際し、一次的にインジェクション方式でプリフォーム（一次製品）を成型したのち、二次的にブロー成型法で折り畳み自在部を備えた容器を製作する。
【００１０】
前記プリフォームを成型するとき、折り畳み自在部になる部位を本体より薄くして二次ブロー成型時にその薄い部位の折り畳みが容易になされるようにする。
【００１１】
［発明を実施するための最良の形態］
以下、添付図面に基づいて本発明の望ましい実施の形態を説明する。
【００１２】
実施の形態１
図１〜図３は本発明の一つの実施の形態を示す。図示したとおり、容器１は口部１００および本体２００から構成されており、前記口部１００はワンタッチ方式またはスクリュー方式で蓋に結合されるように構成されている。
【００１３】
そして、口部１００の下部であり、同時に本体２００の上部面には、折り畳み基準線２０１を中心にして口部１００を囲むように前方部に折り畳み自在部２０２が形成され、前記折り畳み自在部２０２が容易に折り畳めるように折り畳み線２０３が形成されている。
【００１４】
望ましくは、前記折り畳み基準線２０１を基準にして比較的平らな折り畳み自在部上面２０４が前方部に形成され、前記折り畳み自在部上面２０４には、折り畳み基準線２０１を中心にして両側に折り畳み線２０３が形成され、その折り畳み線２０３の端部は前記折り畳み基準線２０１と平行な形態の折り畳み線２０３に連結されている。
【００１５】
そして、前記折り畳み基準線２０１よりその前方部に形成された折り畳み線２０３の長さは、前記折り畳み基準線２０１より短く形成されるのが望ましい。
【００１６】
また、折り畳み自在部上面２０４の両側に形成された折り畳み線２０３に連結されている折り畳み線２０３の各端点には、下側に向くほど開いた形態の折り畳み線２０３が形成され、その各端点は折り畳み基準線２０１の両端部の折り畳み線２０３に連結されている。
【００１７】
望ましくは、前記折り畳み自在部２０２は、両側が三角形の形状であり、その三角形と内接して二つの梯形の面が会う突出した形状であるのが好ましい。すなわち、三角形の面と梯形の面の大きさにしたがって口部１００が下げられる角度が決定される。
【００１８】
以上のような本発明の作用効果を説明するとつぎのとおりである。口部１００を折り畳み自在部２０２側に押すかまたは引くと、突出した折り畳み自在部が下方に返って前記口部１００が一定の角度に下げられる。このとき、人為的な力を加えない限り、口部はその下げられた角度を維持し、必要に応じて口部１００をまた持ち上げると、折り畳み自在部２０２が元の状態に復元する。
【００１９】
図３は口部１００に蓋３００を被せたのち、その口部１００を下げられるようにした例である。また、図１（図２）のような状態で、容器１に炭酸飲料などを充填して口部１００に蓋を被せても折り畳み自在部２０２は容易に変形しない。このような理由で、容器１の一面から突出された形態に折り畳み自在部２０２が構成されるのである。
【００２０】
実施の形態２
図４〜図７は本発明の他の実施の形態を示す。射出成型される一次製品４００は環状輪４０１を中心にして上方には蓋が組立てられる多様な形態の口部４０２が形成され、下方には胴になる本体４０３が形成され、さらに前記口部４０２の環状輪４０１の下方にはブロー成型時に折り畳み自在部を形成する折り畳み用の薄い部位４０４が形成されている。
【００２１】
以上のような本発明の実施の形態を添付図面に基づいて詳述するとつぎのとおりである。図５のような前記一次製品４００ブロー金型に移動したのち、空気吹入口を開いて空気を吹き入れると、本体４０３は薄くふくらんで胴の形態を備え、これと同時に折り畳み用の薄い部位４０４はじゃばら形態の折り畳み自在部２０２′に形成される。
【００２２】
図４は折り畳み自在部２０２′が折られた状態を示す。
【００２３】
図６は口部１００に蓋３００を被せた容器１の折り畳み自在部２０２′が広げられた状態を示すものであり、図７は前記容器１の一つの使用状態を示すものである。
【００２４】
［産業上の利用可能性］
本発明は以上の説明のとおり、口部の下方に折り畳み自在部が形成され、容器の内容物を他の容器に移すとき、その容器を少し傾けるだけで可能となる長所と、食用油などの蓋に適用するとき、その容器内の内容物をとても安定に、また衛生的に排出させることができる。
【図面の簡単な説明】
【図１】
本発明の実施の形態１の構成を示す斜視図である。
【図２】
本発明の実施の形態１の構成を示す要部の縦断面図である。
【図３】
本発明の実施の形態１において、口部に蓋が組み付けられた、一つの使用状態を示す図である。
【図４】
本発明の実施の形態２の斜視図である。
【図５】
本発明の実施の形態２にかかわるプリフォームの縦断面図である。
【図６】
本発明の実施の形態２の使用状態を示す図である。
【図７】
本発明の実施の形態２の使用状態を示す図である。
【国際公開パンフレット】
2004520236.tif 000003
2004520236.tif 000004
2004520236.tif 000005
2004520236.tif 000006
2004520236.tif 000007
2004520236.tif 000008
2004520236.tif 000009
2004520236.tif 000010
2004520236.tif 000011
2004520236.tif 000012
2004520236.tif 000013
2004520236.tif 000014
2004520236.tif 000015
2004520236.tif 000016
2004520236.tif 000017
2004520236.tif 000018
2004520236.tif 000019
【国際調査報告】
2004520236.tif 000020